(57)【要約】【課題】メッセージの作成操作だけでなく、撮像手段からの画像データの取り込み操作も不要とした電子掲示板システムを提供する。【解決手段】各ビデオカメラ１ｂは、伝言領域Ｒ１，Ｒ２内を各々撮像して、画像データをネットワーク上に送出し、制御端末３の記憶タイミング設定部３ｂは、人感センサ５の検知結果に基づいて、伝言領域Ｒ１，Ｒ２内の被撮像物Ｋが人によって遮られているか否かを判定し、伝言領域Ｒ１，Ｒ２内の被撮像物Ｋが人によって遮られていない場合に、伝言領域Ｒ１，Ｒ２の各画像データの記憶を指示するトリガ信号を表示端末４へ送信し、表示端末４の画像記憶部２ｂは、トリガ信号を受信したときに各ビデオカメラ１ｂが撮像した伝言領域Ｒ１，Ｒ２の各画像データを記憶する。【選択図】図１
2011109541.tif 000002
【特許請求の範囲】
【請求項１】
ユーザのメッセージを視覚的に伝達する被撮像物が存在する１乃至複数の伝言領域内を各々撮像する１乃至複数の撮像手段と、
各撮像手段が撮像した画像データを記憶する画像記憶手段と、
画像記憶手段に各画像データを記憶させるタイミングを設定する記憶タイミング設定手段と、
記憶した各画像データに基づいてコンテンツを作成するコンテンツ作成手段と、
コンテンツ作成手段にネットワークを介して接続され、コンテンツ作成手段が作成したコンテンツを表示する表示手段と、
１乃至複数の伝言領域の各々の近傍に存在する人を検知する人検知手段とを備え、
記憶タイミング設定手段は、人検知手段の検知結果に基づいて、各伝言領域内の被撮像物が人によって遮られているか否かを判定し、各伝言領域内の被撮像物が人によって遮られていない場合に、当該伝言領域の画像データの記憶を指示するトリガ信号を発生し、
画像記憶手段は、トリガ信号の発生時に各撮像手段の画像データを記憶する
ことを特徴とする電子掲示板システム。
【請求項２】
前記記憶タイミング設定手段は、前記人検知手段の検知結果に基づいて、各伝言領域に人が近付いた後に離れていく行動を検知し、当該行動を検知するとともに各伝言領域内の被撮像物が人によって遮られていない場合に、当該伝言領域の画像データの記憶を指示するトリガ信号を発生し、
前記画像記憶手段は、トリガ信号の発生時に各撮像手段の画像データを記憶する
ことを特徴とする請求項１記載の電子掲示板システム。
【請求項３】
前記記憶タイミング設定手段は、各撮像手段から取得した画像データを、当該撮像手段の過去の画像データと比較し、前記取得した画像データが過去の画像データから変化していると判断するとともに、当該撮像手段が撮像する伝言領域内の被撮像物が人によって遮られていない場合に、当該撮像手段から取得した画像データの記憶を指示するトリガ信号を発生し、
前記画像記憶手段は、トリガ信号の発生時に各撮像手段の画像データを記憶する
ことを特徴とする請求項１記載の電子掲示板システム。
【請求項４】
前記画像記憶手段が記憶する画像データから、少なくともメッセージの通知対象を含むメッセージ内容を解析する画像解析手段と、
メッセージ内容の解析結果に基づいて、メッセージの通知対象に対してメッセージがあることをネットワーク経由で報知する報知手段とを備える
ことを特徴とする請求項１乃至３いずれか記載の電子掲示板システム。
【請求項５】
前記画像記憶手段が記憶する画像データからメッセージ内容を解析する画像解析手段と、
前記画像記憶手段が記憶する画像データに、解析したメッセージ内容に基づくタグを設定するタグ設定手段と、
キーワードを入力するキーワード入力手段とを備え、
前記コンテンツ作成手段は、入力されたキーワードに該当するタグが設定された画像データを画像記憶手段から読み出し、当該読み出した画像データに基づいて、キーワードに対する検索結果のコンテンツを作成し、
前記表示手段は、当該検索結果のコンテンツを表示する
ことを特徴とする請求項１乃至４いずれか記載の電子掲示板システム。
【発明の詳細な説明】
【技術分野】
【０００１】
本発明は、電子掲示板システムに関するものである。
【背景技術】
【０００２】
従来、家庭内の冷蔵庫の扉や、壁面に設けたコルクボード等が、家族間においてメッセージを互いに伝達する掲示板として用いられている。ユーザは、これらの掲示板にメッセージを書いたメモ等を貼り付けることで、他のユーザと互いに顔を会わせなることなくメッセージを伝達できる。
【０００３】
また、最近は、ネットワーク上にサーバを設けて、ユーザは、ネットワークに接続したパーソナルコンピュータ（以下、パソコンと称す）や携帯電話等の情報端末を用いてメッセージを作成して電子ファイルとしてサーバに格納し、さらに情報端末を用いてサーバにアクセスして、自分宛のメッセージを検索することで、他のユーザからのメッセージを閲覧する電子掲示板も普及している。
【０００４】
しかし、電子掲示板は、メッセージの作成時に情報端末の操作（パソコンのキーボード操作、携帯電話のボタン操作等）が必要であり、これらの情報端末に関する知識が必要となって、誰でも手軽に利用することは難しかった。
【０００５】
そこで、ユーザが、伝言板にメッセージを手書きしたり、メッセージを書いたメモ等を伝言板に貼り付け、この伝言板をビデオカメラで撮像した電子ファイルを制御部のメモリに格納し、さらにメモリ内から自分宛のメッセージが入った電子ファイルを読み出して、画面上に表示する電子掲示板システムがある（例えば、特許文献１参照）。すなわち、ユーザの手書き、メモの貼り付け等によってメッセージの作成を行うのである。
【先行技術文献】
【特許文献】
【０００６】
【特許文献１】実開平４−９６１６８号公報
【発明の概要】
【発明が解決しようとする課題】
【０００７】
しかしながら、上記特許文献１の電子掲示板システムは、メッセージを作成したユーザが確認キーを押下することによって、ビデオカメラからの画像データをメモリに記憶させており、ユーザによる画像データの取り込み操作が必要であり、使い勝手を妨げていた。
【０００８】
本発明は、上記事由に鑑みてなされたものであり、その目的は、メッセージの作成操作だけでなく、撮像手段からの画像データの取り込み操作も不要とした電子掲示板システムを提供することにある。
【課題を解決するための手段】
【０００９】
請求項１の発明は、ユーザのメッセージを視覚的に伝達する被撮像物が存在する１乃至複数の伝言領域内を各々撮像する１乃至複数の撮像手段と、各撮像手段が撮像した画像データを記憶する画像記憶手段と、画像記憶手段に各画像データを記憶させるタイミングを設定する記憶タイミング設定手段と、記憶した各画像データに基づいてコンテンツを作成するコンテンツ作成手段と、コンテンツ作成手段にネットワークを介して接続され、コンテンツ作成手段が作成したコンテンツを表示する表示手段と、１乃至複数の伝言領域の各々の近傍に存在する人を検知する人検知手段とを備え、記憶タイミング設定手段は、人検知手段の検知結果に基づいて、各伝言領域内の被撮像物が人によって遮られているか否かを判定し、各伝言領域内の被撮像物が人によって遮られていない場合に、当該伝言領域の画像データの記憶を指示するトリガ信号を発生し、画像記憶手段は、トリガ信号の発生時に各撮像手段の画像データを記憶することを特徴とする。
【００１０】
この発明によれば、ユーザは、伝言領域にメッセージを手書きしたり、メッセージを書いたメモ等を伝言領域に貼り付けるだけで、メッセージを作成することができ、伝達したいメッセージの作成時に面倒な操作が不要であり、誰でも手軽に利用することができる。また、各伝言領域の画像データを画像記憶手段に取り込む（記憶する）タイミングは、各伝言領域の画像データにメッセージが認識可能に映っているときであり、このタイミングで、各伝言領域の画像データを画像記憶手段に自動で取り込むので、ユーザ操作が不要となり、使い勝手が向上している。すなわち、メッセージの作成操作だけでなく、撮像手段からの画像データの取り込み操作も不要となる。さらに、異なる場所に設けた複数の伝言領域）の各画像データを統合して管理することができ、メッセージの伝達範囲が広がる。
【００１１】
請求項２の発明は、請求項１において、前記記憶タイミング設定手段は、前記人検知手段の検知結果に基づいて、各伝言領域に人が近付いた後に離れていく行動を検知し、当該行動を検知するとともに各伝言領域内の被撮像物が人によって遮られていない場合に、当該伝言領域の画像データの記憶を指示するトリガ信号を発生し、前記画像記憶手段は、トリガ信号の発生時に各撮像手段の画像データを記憶することを特徴とする。
【００１２】
この発明によれば、伝言領域に近付いた後に離れていく人の行動を検知することで、伝言領域内のメッセージが変化したか否かを判定しており、メッセージが変化したときに、各伝言領域の画像データを画像記憶手段に取り込むことによって、画像データの記憶タイミングを無駄のない適切なタイミングに設定することができる。
【００１３】
請求項３の発明は、請求項１において、前記記憶タイミング設定手段は、各撮像手段から取得した画像データを、当該撮像手段の過去の画像データと比較し、前記取得した画像データが過去の画像データから変化していると判断するとともに、当該撮像手段が撮像する伝言領域内の被撮像物が人によって遮られていない場合に、当該撮像手段から取得した画像データの記憶を指示するトリガ信号を発生し、前記画像記憶手段は、トリガ信号の発生時に各撮像手段の画像データを記憶することを特徴とする。
【００１４】
この発明によれば、メッセージが変化したときに、各伝言領域の画像データを画像記憶手段に取り込むことによって、画像データの記憶タイミングを無駄のない適切なタイミングに設定することができる。さらに、画像データの差分演算によって、各伝言領域内のメッセージが変化したか否かを判定するので、メッセージの追加、消去をより確実に検知でき、画像データの記憶タイミングの設定精度が向上する。
【００１５】
請求項４の発明は、請求項１乃至３いずれかにおいて、前記画像記憶手段が記憶する画像データから、少なくともメッセージの通知対象を含むメッセージ内容を解析する画像解析手段と、メッセージ内容の解析結果に基づいて、メッセージの通知対象に対してメッセージがあることをネットワーク経由で報知する報知手段とを備えることを特徴とする。
【００１６】
この発明によれば、各伝言領域の画像データからメッセージの内容を解析して、通知対象のユーザにメッセージがあることを報知できるので、例えば、外出先であっても自分宛のメッセージの有無を確認でき、使い勝手が向上する。
【００１７】
請求項５の発明は、請求項１乃至４いずれかにおいて、前記画像記憶手段が記憶する画像データからメッセージ内容を解析する画像解析手段と、前記画像記憶手段が記憶する画像データに、解析したメッセージ内容に基づくタグを設定するタグ設定手段と、キーワードを入力するキーワード入力手段とを備え、前記コンテンツ作成手段は、入力されたキーワードに該当するタグが設定された画像データを画像記憶手段から読み出し、当該読み出した画像データに基づいて、キーワードに対する検索結果のコンテンツを作成し、前記表示手段は、当該検索結果のコンテンツを表示することを特徴とする。
【００１８】
この発明によれば、画像データの各々にタグを関連付けることで、ユーザは検索処理を容易に行うことができ、例えば、過去の特定の画像データ、特定のメッセージ内容に関する画像データ等を、容易に検索、閲覧することが可能となり、使い勝手がさらに向上する。
【発明の効果】
【００１９】
以上説明したように、本発明では、メッセージの作成操作だけでなく、撮像手段からの画像データの取り込み操作も不要とすることができるという効果がある。
【図面の簡単な説明】
【００２０】
【図１】実施形態１のシステム構成を示す図である。
【図２】実施形態２のシステム構成を示す図である。
【図３】実施形態３の宅内サーバの構成を示す図である。
【発明を実施するための形態】
【００２１】
以下、本発明の実施の形態を図面に基づいて説明する。
【００２２】
（実施形態１）
本実施形態の電子掲示板システムは、図１に示すように、住戸等の屋内に配設された宅内ネットワークＮＴ１に、撮像端末１Ａと、宅内サーバ２と、制御端末３と、表示端末４とが接続され、各端末は宅内ネットワークＮＴ１を通じて互いに通信可能に構成されている。
【００２３】
撮像端末１Ａは、宅内ネットワークＮＴ１との間で信号を授受するインターフェース機能を具備するネットワーク通信部１ａと、撮像した画像データを宅内ネットワークＮＴ１に送出する光学式撮像手段からなるビデオカメラ１ｂとで構成される。
【００２４】
宅内サーバ２は、宅内ネットワークＮＴ１との間で信号を授受するインターフェース機能を具備するネットワーク通信部２ａと、画像データを記憶する画像記憶部２ｂと、画像記憶部２ｂに記憶した各画像データに基づいてコンテンツを作成するウェブサーバ機能を有するコンテンツ作成部２ｃとで構成される。
【００２５】
制御端末３は、宅内ネットワークＮＴ１との間で信号を授受するインターフェース機能を具備するネットワーク通信部３ａと、撮像端末１Ａのビデオカメラ１ｂの画像データを画像記憶部２ｂに記憶させるタイミングを設定する記憶タイミング設定部３ｂとで構成される。
【００２６】
表示端末４は、パソコンや携帯電話等の表示画面付きの情報端末で構成され、宅内ネットワークＮＴ１との間で信号を授受するインターフェース機能を具備するネットワーク通信部４ａと、宅内サーバ２にアクセスしてコンテンツを取得するコンテンツ取得部４ｂと、宅内サーバ２へのアクセス操作等の各種操作を行うキーボード、マウス等の操作部４ｃと、取得したコンテンツ等を表示するＬＣＤ等の表示画面４ｄとで構成される。
【００２７】
次に、上記のように構成される電子掲示板システムの動作について説明する。
【００２８】
まず、撮像端末１Ａのビデオカメラ１ｂは、屋内の壁やテーブル等に予め設定された伝言領域Ｒ１内を常時撮像し、宅内ネットワークＮＴ１を通して宅内サーバ２へ、伝言領域Ｒ１の撮像データを送信する。伝言領域Ｒ１は、ユーザがメッセージを手書きしたり、メッセージを書いたメモ等を貼り付ける領域であり、伝言領域Ｒ１内には、メッセージを視覚的に伝達するホワイトボードやメモ等の被撮像物Ｋが存在している。ビデオカメラ１ｂは、例えばマーカ（ＱＲコード等のように周囲との境界を区別可能な印が印刷されたシール）で囲まれた範囲が伝言領域Ｒ１であると自動認識して、伝言領域Ｒ１の撮像処理を行ってもよい。また、マーカで囲まれた範囲を伝言領域Ｒ１とすれば、ユーザがマーカを移動させることで、伝言領域Ｒ１を自在に設定できる。さらに、伝言領域Ｒ１内には、文字だけでなく、写真、絵、地図等をメッセージに含んでもよい。
【００２９】
宅内サーバ２は、撮像端末１Ａから伝言領域Ｒ１の画像データを受信するが、制御端末３からトリガ信号を受信しなければ、画像記憶部２ｂに記憶することなく破棄する。
【００３０】
制御端末３では、記憶タイミング設定部３ｂが上記トリガ信号の発生機能を有しており、以下、トリガ信号の発生処理について説明する。
【００３１】
まず、伝言領域Ｒ１の近傍には１乃至複数の人感センサ５が設置され、人感センサ５は、ビデオカメラ１ｂから見て伝言領域Ｒ１を遮る位置に存在する人を検知しており、人を検知した人感センサ５が出力する人検知信号は、宅内ネットワークＮＴ１を通って制御端末３に送信される。
【００３２】
さらに、伝言領域Ｒ１の近傍には、伝言領域Ｒ１に近付いた後に離れていく人の行動（伝言領域Ｒ１への人の接離行動）を検知するため１乃至複数の人感センサ６が設置され、人感センサ６が出力する人検知信号は、宅内ネットワークＮＴ１を通って制御端末３に送信される。なお、この人感センサ６の検知結果を、ビデオカメラ１ｂから見て伝言領域Ｒ１を遮る位置に存在する人の検知に併用してもよく、この場合、人感センサ５を省略できる。
【００３３】
制御端末３において、記憶タイミング設定部３ｂは、人感センサ５からの人検知信号に基づいて、ビデオカメラ１ｂから見た現在の伝言領域Ｒ１の視認状態を判定する。すなわち、人感センサ５からの人検知信号を受信している間は、ビデオカメラ１ｂから見て伝言領域Ｒ１を遮る位置に人が存在しており、伝言領域Ｒ１の画像データには被撮像物Ｋのメッセージが認識可能に映っていないと判定する。一方、人感センサ５からの人検知信号を受信していない間は、ビデオカメラ１ｂから見て伝言領域Ｒ１を遮る位置に人が存在しておらず、伝言領域Ｒ１の画像データには被撮像物Ｋのメッセージが認識可能に映っていると判定する。
【００３４】
さらに、記憶タイミング設定部３ｂは、人感センサ６からの人検知信号に基づいて、伝言領域Ｒ１への人の接離行動の有無から、伝言領域Ｒ１内のメッセージが変化したか否かを判定する。例えば、伝言領域Ｒ１近傍を検出範囲とする人感センサ６が、非検知状態から検知状態に切り替わり、検知状態が一定時間以上継続した後、検知状態から非検知状態に切り替わった場合、伝言領域Ｒ１への人の接離行動があったと判定する。この接離行動の有無判定は、伝言領域Ｒ１内のメッセージに変化があったか否かを判定しており、接離行動があれば、ユーザが伝言領域Ｒ１内の手書きのメッセージを追加、消去したり、メッセージを書いたメモ等を追加、削除した可能性があり、伝言領域Ｒ１内のメッセージが変化したと判定する。
【００３５】
そして、記憶タイミング設定部３ｂは、ビデオカメラ１ｂから見て伝言領域Ｒ１を遮る位置に人が存在しておらず、伝言領域Ｒ１の画像データには被撮像物Ｋのメッセージが認識可能に映っていると判定し、且つ伝言領域Ｒ１内のメッセージが変化したと判定した場合には、トリガ信号を発生し、当該トリガ信号を宅内ネットワークＮＴ１を通して宅内サーバ２へ送信する。
【００３６】
宅内サーバ２の画像記憶部２ｂは、制御端末３からトリガ信号を受信したタイミングで伝言領域Ｒ１の画像データを記憶する。画像記憶部２ｂには、伝言領域Ｒ１の過去から現在に至る画像データの履歴が記憶されており、古い画像データは、撮像日時、残容量等に応じて、順次消去される。
【００３７】
また、宅内ネットワークＮＴ１は、図示しないルータ等を介して外部のインターネットＩＮＴに接続しており、インターネットＮＴ２に図示しないルータ等を介して接続している他の宅内ネットワークＮＴ２との間で通信可能に構成されている。
【００３８】
宅内ネットワークＮＴ２には、撮像端末１Ｂが接続しており、撮像端末１Ｂは、撮像端末１Ａと同様に、ネットワーク通信部１ａ、ビデオカメラ１ｂを備えており、ビデオカメラ１ｂは、メッセージを視覚的に伝達するホワイトボードやメモ等の被撮像物Ｋが存在する伝言領域Ｒ２を常時撮像し、宅内ネットワークＮＴ２、インターネットＩＮＴ、宅内ネットワークＮＴ１を通して宅内サーバ２へ、伝言領域Ｒ２の画像データを送信する。宅内サーバ２は、撮像端末１Ｂから伝言領域Ｒ２の画像データを受信するが、撮像端末１Ｂからトリガ信号を受信しなければ、画像記憶部２ｂに記憶することなく破棄する。
【００３９】
さらに、撮像端末１Ｂは、伝言領域Ｒ２を撮像したビデオカメラ１ｂの画像データを宅内サーバ２の画像記憶部２ｂに記憶させるタイミングを設定する記憶タイミング設定部１ｃを備えている。また、伝言領域Ｒ２の近傍にも、人感センサ５，６が設けられており、人感センサ５，６が出力する人検知信号は、宅内ネットワークＮＴ２を通って、記憶タイミング設定部１ｃへ送信される。
【００４０】
そして、撮像端末１Ｂの記憶タイミング設定部１ｃは、記憶タイミング設定部３ｂと同様に、ビデオカメラ１ｂから見て伝言領域Ｒ２を遮る位置に人が存在しておらず、伝言領域Ｒ２の画像データには被撮像物Ｋのメッセージが認識可能に映っていると判定し、且つ伝言領域Ｒ２内のメッセージが変化したと判定した場合には、トリガ信号を発生し、当該トリガ信号を宅内ネットワークＮＴ２、インターネットＩＮＴ、宅内ネットワークＮＴ１を通して宅内サーバ２へ送信する。
【００４１】
宅内サーバ２の画像記憶部２ｂは、撮像端末１Ｂからトリガ信号を受信したタイミングで伝言領域Ｒ２の画像データを記憶する。画像記憶部２ｂには、伝言領域Ｒ２の過去から現在に至る画像データの履歴が記憶されており、古い画像データは、撮像日時、残容量等に応じて、順次消去される。
【００４２】
このように、本実施形態において、ユーザは、伝言領域Ｒ１，Ｒ２にメッセージを手書きしたり、メッセージを書いたメモ等を伝言領域Ｒ１，Ｒ２に貼り付けるだけで、メッセージを作成することができ、伝達したいメッセージの作成時に表示端末４等の操作が不要であり、誰でも手軽に利用することができる。
【００４３】
また、伝言領域Ｒ１，Ｒ２の各画像データを画像記憶部２ｂに取り込む（記憶する）タイミングは、伝言領域Ｒ１，Ｒ２の各画像データにメッセージが認識可能に映っており、且つ伝言領域Ｒ１，Ｒ２内の各メッセージが変化したと判定されたときであり、上記条件を満たしたタイミングで、伝言領域Ｒ１，Ｒ２の各画像データを画像記憶部２ｂに自動で取り込むので、ユーザによる画像データの取り込み操作が不要となり、使い勝手が向上している。
【００４４】
また、伝言領域Ｒ１，Ｒ２に近付いた後に離れていく人の行動を検知することで、伝言領域Ｒ１，Ｒ２内の各メッセージが変化したか否かを判定しており、メッセージが変化したときに、伝言領域Ｒ１，Ｒ２の各画像データを画像記憶部２ｂに自動で取り込むことによって、画像データの記憶タイミングを無駄のない適切なタイミングに設定することができる。
【００４５】
さらに、異なる場所に設けた複数の伝言領域Ｒ１，Ｒ２．．．の各画像データを統合して管理することができ、メッセージの伝達範囲が広がる。
【００４６】
次に、宅内サーバ２の画像記憶部２ｂには、２つの伝言領域Ｒ１，Ｒ２の各画像データが格納されており、コンテンツ作成部２ｃは、画像記憶部２ｂに記憶している各画像データに基づいてコンテンツを作成する。例えば、伝言領域Ｒ１，Ｒ２の各最新画像データを用いて、伝言領域Ｒ１，Ｒ２の最新の画像を各々貼り付けたコンテンツや、伝言領域Ｒ１の過去から現在に至るまでの画像を並べて貼り付けたコンテンツや、伝言領域Ｒ２の過去から現在に至るまでの画像を並べて貼り付けたコンテンツ等を作成する。
【００４７】
表示端末４は、ユーザによる操作部４ｃの操作によって宅内サーバ２にアクセスして、メニュー画面を表示画面４ｄに表示し、このメニュー画面のＧＵＩ操作によって、コンテンツ作成部２ｃから所望のコンテンツを取得して、当該取得したコンテンツを表示画面４ｄに表示する。そしてユーザは、コンテンツ内に貼り付けられた伝言領域Ｒ１，Ｒ２の画像から、自分宛のメッセージを閲覧する。
【００４８】
（実施形態２）
本実施形態の電子掲示板システムは、図２に示すように、実施形態１の構成において、制御端末３の記憶タイミング設定部３ｂに差分演算部３ｃを設け、撮像端末１Ｂの記憶タイミング設定部１ｃに差分演算部１ｄを設け、さらに人感センサ６を削除したものである。なお、実施形態１と同様の構成には同一の符号を付して説明は省略する。
【００４９】
本実施形態の記憶タイミング設定部３ｂ，１ｃは、伝言領域Ｒ１，Ｒ２内のメッセージの変化を差分演算部３ｃ，１ｄによって各々判定する。以下、制御端末３の記憶タイミング設定部３ｂ、差分演算部３ｃを例にして説明する。
【００５０】
まず、本実施形態の記憶タイミング設定部３ｂは、人感センサ５からの人検知信号に基づいて、ビデオカメラ１ｂから見て伝言領域Ｒ１を遮る位置に人が存在しておらず、伝言領域Ｒ１の画像データには被撮像物Ｋのメッセージが認識可能に映っていると判定している期間を、差分演算部３ｃが演算処理を実行可能な演算許可期間とする。そして差分演算部３ｃは、ビデオカメラ１ｂが宅内サーバ２へ送信する伝言領域Ｒ１の画像データを常に監視しており、さらには、前回のトリガ信号発生時の伝言領域Ｒ１の画像データを記憶している。
【００５１】
そして、差分演算部３ｃは、演算許可期間内の一定時間毎に、ビデオカメラ１ｂが送信する現在の伝言領域Ｒ１の画像データと、前回のトリガ信号発生時の伝言領域Ｒ１の画像データとの差分演算を行い、現在の伝言領域Ｒ１の画像データと過去の伝言領域Ｒ１の画像データとを比較し、両画像データ間に変化が生じているか否かを判別する。そして、両画像データ間に変化が生じていると判別した場合は、ユーザが伝言領域Ｒ１内の手書きのメッセージを追加、消去したり、メッセージを書いたメモ等を追加、削除した可能性があり、伝言領域Ｒ１内のメッセージが変化したと判定する。
【００５２】
そして、記憶タイミング設定部３ｂは、ビデオカメラ１ｂから見て伝言領域Ｒ１を遮る位置に人が存在しておらず、伝言領域Ｒ１の画像データには被撮像物Ｋのメッセージが認識可能に映っていると判定した演算許可期間に、伝言領域Ｒ１内のメッセージが変化したと判定した場合には、トリガ信号を発生し、当該トリガ信号を宅内ネットワークＮＴ１を通して宅内サーバ２へ送信する。さらに差分演算部３ｃは、記憶している前回のトリガ信号発生時の伝言領域Ｒ１の画像データを消去して、今回のトリガ信号発生時の伝言領域Ｒ１の画像データを記憶し、次回の差分演算処理に用いる。宅内サーバ２の画像記憶部２ｂは、制御端末３からトリガ信号を受信したタイミングで伝言領域Ｒ１の画像データを記憶する。
【００５３】
なお、撮像端末１Ｂにおいても、差分演算部１ｄが上記同様に画像データの差分演算を行い、演算許可期間内の一定時間毎に、伝言領域Ｒ２内のメッセージが変化したか否かを判定する。そして、記憶タイミング設定部１ｃは、演算許可期間に、伝言領域Ｒ２内のメッセージが変化したと判定した場合には、トリガ信号を発生し、当該トリガ信号を宅内ネットワークＮＴ２、インターネットＩＮＴ、宅内ネットワークＮＴ１を通して宅内サーバ２へ送信する。さらに差分演算部１ｄは、記憶している前回のトリガ信号発生時の伝言領域Ｒ２の画像データを消去して、今回のトリガ信号発生時の伝言領域Ｒ２の画像データを記憶し、次回の差分演算処理に用いる。宅内サーバ２の画像記憶部２ｂは、制御端末３からトリガ信号を受信したタイミングで伝言領域Ｒ２の画像データを記憶する。
【００５４】
宅内サーバ２におけるコンテンツ作成処理、表示端末４によるコンテンツ取得処理、メッセージ閲覧処理は実施形態１と同様であり、説明は省略する。
【００５５】
このように、伝言領域Ｒ１，Ｒ２内の各メッセージが変化したか否かを判定しており、メッセージが変化したときに、伝言領域Ｒ１，Ｒ２の各画像データを画像記憶部２ｂに自動で取り込むことによって、画像データの記憶タイミングを無駄のない適切なタイミングに設定することができる。さらに、画像データの差分演算によって、伝言領域Ｒ１，Ｒ２内の各メッセージが変化したか否かを判定するので、メッセージの追加、消去をより確実に検知でき、画像データの記憶タイミングの設定精度が向上する。
【００５６】
（実施形態３）
本実施形態の電子掲示板システムは、図３に示すように、実施形態１，２の構成において、宅内サーバ２が、画像解析部２ｄと、ネットワーク報知部２ｅと、タグ設定部２ｆと、タグ情報記憶部２ｇとを備えており、実施形態１、２と同様の構成には同一の符号を付して説明は省略する。
【００５７】
宅内サーバ２の画像解析部２ｄは、画像記憶部２ｂに新規の画像データを記憶する度に、当該画像データの画像に含まれるメッセージの文字を画像処理によって認識し、メッセージの発信者および通知対象者の各情報、伝達事項、メッセージ内容に含まれる時間情報（期日、時間指定等）等のメッセージ内容を解析する。また、画像解析部２ｄによるメッセージ内容の解析処理は、伝言領域Ｒ（Ｒ１，Ｒ２．．．）における手書きのメッセージや、メモに書かれたメッセージの書式を予め統一することで、簡便化を図ることができる。
【００５８】
そして、ネットワーク報知部２ｅは、ユーザ毎のメールアドレスが予め登録されており、画像解析部２ｄが解析したメッセージの通知対象者のメールアドレスに対して、メッセージ内容（メッセージの発信者、伝達事項、メッセージ内の期日・時間指定の時間情報）や、画像記憶部２ｂへの画像データの記憶時刻等を含むメールを、宅内ネットワークＮＴ１を介して送信する。なお、画像解析部２ｄによるメッセージ内容の解析は、少なくとも通知対象者の情報が解析できればよく、送信されるメッセージ内容は、メッセージの発信者、メッセージ内の期日・時間指定の時間情報、伝達事項を全て含む必要はない。すなわち、少なくとも通知対象のユーザに対してメッセージがあることを通知できればよい。
【００５９】
このようにして送信されたメールは、宅内ネットワークＮＴ１上の表示端末４や、宅内ネットワークＮＴ２上の図示しない表示端末や、インターネットＩＮＴと通信可能に構成された携帯電話等の図示しない情報端末等で受信され、通知対象のユーザにメッセージがあることを知らせることができる。メールを受信した通知対象のユーザは、宅内サーバ２にアクセスし、コンテンツ作成部２ｃから所望のコンテンツを取得することで、コンテンツ内に貼り付けられた伝言領域Ｒの画像から、自分宛のメッセージを詳細に確認することができる。
【００６０】
このように、伝言領域Ｒの各画像データからメッセージの内容を解析して、通知対象のユーザにメッセージがあることを報知できるので、例えば携帯電話のメールアドレスを予め登録しておけば、外出先であっても自分宛のメッセージの有無を確認でき、使い勝手が向上する。
【００６１】
さらに、タグ設定部２ｆは、画像記憶部２ｂに記憶する新規の画像データに対して、画像解析部２ｄが抽出したメッセージの発信者や、通知対象者や、伝達事項内の特定キーワードや、メッセージ内の期日、時間指定の時間情報等や、あるいは画像データの記憶時刻に基づいてタグを作成し、作成したタグを当該画像データに関連付けてから画像記憶部２ｂに格納する。画像記憶部２ｂ内の各画像データとタグとの対応関係は、タグ情報記憶部２ｇに格納されており、表示端末４の操作部４ｃが操作されることによって検索用のキーワードが入力され（キーワード入力手段）、当該入力されたキーワードを含む検索要求が、表示端末４から宅内サーバ２へ送信された場合、コンテンツ作成部２ｃは、タグ情報記憶部２ｇを参照して、検索要求にて指定されたキーワードに該当するタグを関連付けられた画像データを、画像記憶部２ｂから読み出す。そして、検索要求によって検索された画像データを含む検索結果用コンテンツを作成し、表示端末４へ提供する。表示端末４は、提供された検索結果用コンテンツを表示画面４ｄに表示し、ユーザは、キーワードによる検索結果を閲覧できる。
【００６２】
このように、画像データの各々にタグを関連付けることで、ユーザは検索処理を容易に行うことができ、例えば、過去の特定の画像データ、特定のメッセージ内容に関する画像データ等を、容易に検索、閲覧することが可能となり、使い勝手がさらに向上する。
【符号の説明】
【００６３】
１（１Ａ，１Ｂ）  撮像端末
１ｂ  ビデオカメラ
２  宅内サーバ
２ｂ  画像記憶部
２ｃ  コンテンツ作成部
３  制御端末
３ｂ  記憶タイミング設定部
４  表示端末
４ｄ  表示画面
ＮＴ１，ＮＴ２  宅内ネットワーク
【図１】
2011109541.tif 000003
【図２】
2011109541.tif 000004
【図３】
2011109541.tif 000005